(57)【要約】【課題】  差動不平衡の伝送方式をとるシステムに適用した場合においても、コモンモード動作時の良好なノイズ抑制特性を維持しつつ、しかも、ノーマルモード動作時の伝送特性を向上させた伝送線路型コモンモードフィルタを提供する。【解決手段】  外部電極１０−１，〜，１２−２をチップ２の外側に取り付けた構造をなす。チップ２は、伝送線路４−１，４−２と、グランド電極３−１，３−２とを有する。また、伝送線路４−１及び伝送線路４−２は、信号線路４１，グランド線路４３及び信号線路４２グランド線路４３で構成され、一のグランド線路４３を共用している。そして、このような伝送線路４−１，４−２が断面矩形状の誘電体５で被覆され、磁性体６がグランド電極３−１，３−２間に充填された構造をなす。【選択図】図１
2005218031.tif 000002
【特許請求の範囲】
【請求項１】
上下に平行に配された一対のグランド電極と、
これら一対のグランド電極の間に配置され且つ平行な信号線路及びグランド線路でなる第１の伝送線路と、
上記第１の伝送路と平行に配され且つ信号線路及びグランド線路でなる第２の伝送線路と、
上記第１及び第２の伝送線路を被覆した非磁性の絶縁体と、
この絶縁体を包むように一対のグランド電極の間に充填された磁性体と
を具備することを特徴とする伝送線路型コモンモードフィルタ。
【請求項２】
請求項１に記載の伝送線路型コモンモードフィルタにおいて、
上記第１及び第２の伝送線路のグランド線路は、一の線路で共用され、上記第１及び第２の伝送線路の信号線路は、この一の線路の上下に平行に配されている、
ことを特徴とする伝送線路型コモンモードフィルタ。
【請求項３】
請求項１に記載の伝送線路型コモンモードフィルタにおいて、
上記第１及び第２の伝送線路のグランド線路は、一の線路で共用され、第１及び第２の伝送線路の信号線路は、この一の線路の両側に平行に配されている、
ことを特徴とする伝送線路型コモンモードフィルタ。
【請求項４】
請求項１に記載の伝送線路型コモンモードフィルタにおいて、
上記第１及び第２の伝送線路は、信号線路同士が横並びで平行であり且つグランド線路がこれら信号線と同配列で対向するように、配置されている、
ことを特徴とする伝送線路型コモンモードフィルタ。
【請求項５】
請求項１ないし請求項４のいずれかに記載の伝送線路型コモンモードフィルタにおいて、
上記絶縁体は、誘電体である、
ことを特徴とする伝送線路型コモンモードフィルタ。
【請求項６】
請求項１ないし請求項５のいずれかに記載の伝送線路型コモンモードフィルタにおいて、
上記第１及び第２の伝送線路の信号線路及びグランド線路は、同形のミアンダ状コイルである、
ことを特徴とする伝送線路型コモンモードフィルタ。
【請求項７】
請求項１ないし請求項５のいずれかに記載の伝送線路型コモンモードフィルタにおいて、
上記第１及び第２の伝送線路の信号線路及びグランド線路は、同形のスパイラル状コイルである、
ことを特徴とする伝送線路型コモンモードフィルタ。
【発明の詳細な説明】
【技術分野】
【０００１】
この発明は、差動伝送回路に利用されるＥＭＩ対策製品としての伝送線路型コモンモードフィルタに関するものである。
【背景技術】
【０００２】
近年、高速信号伝送路に発生するコモンモードノイズを抑制することを目的として、２本の伝送線路をペアとした伝送線路型コモンモードフィルタが提案されている（例えば特許文献１参照）。
【０００３】
図１１は、このような従来のコモンモードフィルタ１００の断面図である。
このコモンモードフィルタ１００は、誘電体１１０と、誘電体１１０の内部に平行に配置された一対の線路１２１，１２２で構成される伝送線路１２０と、誘電体１１０を挟むようにその上下に配置された磁性体１３１，１３２および誘電体１１１，１１２からなる複合体層１４１，１４２と、複合体層１４１，１４２のさらに外側に配置されたグランド電極１５１，１５２とで構成されている。
【０００４】
ここに、フェライトなどの磁性体１３１，１３２はコモンモードノイズの抑制効果を向上させるものであるが、ノーマルモード動作時における伝送信号も減衰させるおそれがある。そこで、コモンモードフィルタ１００では、磁気損失の少ない誘電体１１０の内部に線路１２１，１２２を配置し、線路１２１，１２２の周りに生じる磁界を誘電体１１０中に集中させ、できるだけ磁性体１３１，１３２に及ばないようにした構造を採っている。
すなわち、ノーマルモード動作時には、線路１２１，１２２を流れる伝送信号の向きは逆である。したがって、線路１２１，１２２の周囲には、図１１に示すような磁界Ｈ１が発生し、発生したすべての磁界Ｈ１が誘電体１１０中を通り、誘電体１１０中に集中したような状態になる。この結果、伝送信号は、磁性体１３１，１３２による磁気損失を受けることなく、線路１２１，１２２を流れる。
一方、コモンモード動作時には、線路１２１，１２２を流れる信号の向きは同じである。したがって、線路１２１，１２２の周囲に生じた磁界Ｈ２の一部のみが誘電体１１０を通り、磁界Ｈ２の大部分が、図１２に示すように、磁性体１３１，１３２を通る状態になる。この結果、ノイズ信号は、磁性体１３１，１３２による磁気損失を受けて、減衰することとなる。
このようにして、このコモンモードフィルタ１００は、ノーマルモード動作時に、伝送信号を通過させ、コモンモード動作時に、ノイズ信号を阻止するようにしている。
【０００５】
【特許文献１】特開２００２−８４１５７号公報
【発明の開示】
【発明が解決しようとする課題】
【０００６】
しかし、上記した従来のコモンモードフィルタ１００では、次のような問題がある。
このコモンモードフィルタ１００においては、ノーマルモード動作時に、伝送信号をほとんど減衰させることなく流すためには、逆向きの伝送信号が線路１２１，１２２に同時に流れ、これらの伝送信号による磁界Ｈ１の相互作用により、全ての磁界Ｈ１が誘電体１１０を通り、誘電体１１０中に集中するような状態になることが必要である。
しかしながら、このコモンモードフィルタ１００を差動不平衡の伝送方式をとるシステムに適用すると、逆向きの伝送信号が線路１２１，１２２を一定周期で交互に流れる。このため、伝送信号は常に線路１２１，１２２のいずれかに一方のみを流れることとなる。例えば、伝送信号が線路１２１にのみ流れると、図１３に示すように、伝送信号による磁界Ｈ１が誘電体１１０の外側に広がり、磁性体１３１，１３２による磁気損失を受けることとなる。
したがって、従来のコモンモードフィルタ１００を差動不平衡の伝送方式をとるシステムに適用すると、伝送特性が著しく劣化してしまうという問題があった。
【０００７】
この発明は、上述した課題を解決するためになされたもので、差動不平衡の伝送方式をとるシステムに適用した場合においても、コモンモード動作時の良好なノイズ抑制特性を維持しつつ、しかも、ノーマルモード動作時の伝送特性を向上させた伝送線路型コモンモードフィルタを提供することを目的とする。
【課題を解決するための手段】
【０００８】
上記課題を解決するために、請求項１の発明は、上下に平行に配された一対のグランド電極と、これら一対のグランド電極の間に配置され且つ平行な信号線路及びグランド線路でなる第１の伝送線路と、第１の伝送路と平行に配され且つ信号線路及びグランド線路でなる第２の伝送線路と、第１及び第２の伝送線路を被覆した非磁性の絶縁体と、この絶縁体を包むように一対のグランド電極の間に充填された磁性体とを具備する構成とした。
かかる構成により、コモンモードフィルタの第１の伝送線路の信号線路を差動不平衡伝送方式を採るシステムの一の信号ラインに接続すると共に、第２の伝送線路の信号線路を他の信号ラインに接続し、第１及び第２の伝送線路のグランド線路を接地された信号ラインに接続すると、コモンモード動作時には、互いに同じ向きのコモンモード信号が第１及び第２の伝送線路の信号線路及びグランド線路に流れるので、これらの伝送線路の周りに生じる磁界は互いに同じ向きになる。したがって、絶縁体内の磁束密度は非常に小さくなり、磁界は、絶縁体の外側に広がった状態になる。また、ノーマルモード動作時には、ノーマルモード信号が第１及び第２の伝送線路の一方の信号線路にのみ流れ、他方の信号線路には流れない。しかし、グランド線路が接地された信号ラインに接続されているので、当該一方の伝送線路の信号線路を流れたノーマルモード信号はグランド線路に戻ってくる。したがって、一方の伝送線路の信号線路とグランド線路とには、逆向きのノーマルモード信号が流れるので、これら信号線路とグランド線路の周りに生じる磁界は互いに逆向きになる。このとき、第１及び第２の伝送線路が非磁性の絶縁体で被覆されているので、磁束密度の高い磁界が絶縁体中に集中し、絶縁体の外側の磁性体中には、磁束密度が低い磁界が存在することとなる。
【０００９】
請求項２の発明は、請求項１に記載の伝送線路型コモンモードフィルタにおいて、第１及び第２の伝送線路のグランド線路は、一の線路で共用され、第１及び第２の伝送線路の信号線路は、この一の線路の上下に平行に配されている構成とした。
【００１０】
請求項３の発明は、請求項１に記載の伝送線路型コモンモードフィルタにおいて、第１及び第２の伝送線路のグランド線路は、一の線路で共用され、第１及び第２の伝送線路の信号線路は、この一の線路の両側に平行に配されている構成とした。
【００１１】
請求項４の発明は、請求項１に記載の伝送線路型コモンモードフィルタにおいて、第１及び第２の伝送線路は、信号線路同士が横並びで平行であり且つグランド線路がこれら信号線と同配列で対向するように、配置されている構成とした。
【００１２】
請求項５の発明は、請求項１ないし請求項４のいずれかに記載の伝送線路型コモンモードフィルタにおいて、絶縁体は、誘電体である構成とした。
【００１３】
請求項６の発明は、請求項１ないし請求項５のいずれかに記載の伝送線路型コモンモードフィルタにおいて、第１及び第２の伝送線路の信号線路及びグランド線路は、同形のミアンダ状コイルである構成とした。
【００１４】
請求項７の発明は、請求項１ないし請求項５のいずれかに記載の伝送線路型コモンモードフィルタにおいて、第１及び第２の伝送線路の信号線路及びグランド線路は、同形のスパイラル状コイルである構成とした。
【発明の効果】
【００１５】
以上説明したように、請求項１ないし請求項７の発明によれば、差動不平衡伝送方式を採るシステムに適用した場合に、コモンモード動作時には、互いに同じ向きのコモンモード信号が第１及び第２の伝送線路の信号線路及びグランド線路に流れ、コモンモード信号によって生じた磁界が絶縁体の外側に広がった状態になるので、コモンモード信号は磁性体によって磁気損失を受けて減衰する。この結果、良好なノイズ抑制特性を実現することができる。ノーマルモード動作時には、一方の伝送線路の信号線路とグランド線路とに、互いに逆向きのノーマルモード信号が流れ、磁束密度の高い磁界が絶縁体中に集中し、絶縁体の外側の磁性体中には、磁束密度が低い磁界が存在することとなるので、ノーマルモード信号は磁性体による磁気損失をほとんど受けることない。この結果、差動不平衡伝送方式を採るシステムに適用した場合においても、良好な伝送特性を実現するという優れた効果を奏する。
【００１６】
特に、請求項２の発明によれば、第１及び第２の伝送線路の信号線路を、一のグランド線路の上下に平行に配した構成としたので、製品の小型化と構造の簡素化を図ることができ、この結果、製品コストの低減化を図ることができる。
【００１７】
さらに、請求項５の発明によれば、絶縁体を誘電体として、ノーマルモード動作時におけるノーマルモード信号の減衰を極めて小さく抑えるので、伝送線路型コモンモードフィルタの伝送特性をさらに向上させることができる。
【発明を実施するための最良の形態】
【００１８】
以下、この発明の最良の形態について図面を参照して説明する。
【実施例１】
【００１９】
図１は、この発明の第１実施例に係る伝送線路型コモンモードフィルタの分解斜視図であり、伝送線路を透視して示す。図２は、この図１の矢視Ａ−Ａ断面図である。
図１に示すように、この伝送線路型コモンモードフィルタ１は、フィルタのチップ２に６つの外部電極１０−１，１０−２，１１−１，１１−２，１２−１，１２−２を取り付けた構造となっている。
【００２０】
チップ２は、伝送線路型コモンモードフィルタ１の本体をなすもので、一対のグランド電極３−１，３−２と、第１及び第２の伝送線路としての一対の伝送線路４−１，４−２と、誘電体５と、磁性体６とを有してなる。
【００２１】
グランド電極３−１，３−２は、ＣｕやＡｌで形成された導電板であり、図２に示すように、所定距離をおいて上下に平行に配されている。
伝送線路４−１，４−２は、グランド電極３−１，３−２の間に平行に配されている。そして、各伝送線路４−１（４−２）は、信号線路４１（４２）とグランド線路４３とで構成されている。すなわち、一の線路としてのグランド線路４３が伝送線路４−１，４−２において共用されている。
具体的には、信号線路４１，４２は、Ｃｕ，ＡｕやＡｇで形成された所定線幅のストレートな導電線であり、上記グランド電極３−１，３−２のほぼ中央に配されている。また、グランド線路４３は、このような信号線路４１，４２と平行に近接配置されている。すなわち、グランド線路４３は、図１に示すように、上下に並んだ信号線路４１，４２の間隙のほぼ中央に、これら信号線路４１，４２と平行になるように位置する。  
誘電体５は、ポリイミドで形成された非磁性の絶縁体であり、上記信号線路４１，４２とグランド線路４３の全てを外側から被覆している。また、この誘電体５は、図２に示すように、所定幅で所定厚さの断面矩形状をなす。
磁性体６は、Ｎｉ−Ｚｎフェライトで形成された板体であり、誘電体５を包むようにして、グランド電極３−１，３−２の間に充填されている。
【００２２】
すなわち、このチップ２は、図１及び図２に示すように、一対の伝送線路４−１，４−２を磁気損失の少ない誘電体５で被覆すると共に、磁気損失の大きな磁性体６を誘電体５の外側に充填し、磁性体６の上下面にグランド電極３−１，３−２をそれぞれ配設した構造になっている。
そして、外部電極１０−１，１０−２及び１１−１，１１−２が、このようなチップ２の両端に露出している信号線路４１，４２の両端面にそれぞれ接触した状態で取り付けられ、また、外部電極１２−１，１２−２がグランド線路４３の両端面に接触した状態で取り付けられている。
【００２３】
次に、この実施例の伝送線路型コモンモードフィルタ１を液晶ディスプレイとパーソナルコンピュータ間のインターフェース部に使用した場合の作用及び効果について説明する。
図３は、伝送線路型コモンモードフィルタ１の使用例を示す概略図であり、図４は、伝送線路型コモンモードフィルタ１の等価回路図であり、図５は、伝送線路型コモンモードフィルタ１の信号線路４１に生じる磁界の状態を示す断面図であり、図５（ａ）は、ノーマルモード動作時の磁界状態を示し、図５（ｂ）とコモンモード動作時の磁界状態を示す。
【００２４】
図３に示すシステムは、パーソナルコンピュータ側に電流源２００とスイッチング素子２０１とを有し、液晶ディスプレイ側に集積回路２１０と抵抗２１１，２１２とを有しており、信号を伝送路２２０を介して、ディジタルディスプレイ用のインターフェース規格であるＤＶＩ（Digital Visual Interface）規格に使われているＴＭＤＳ（Transition Minimized Differential Signaling）伝送方式で伝送する。また、このシステムは、伝送路２２０を構成する３本一組の伝送ライン２２１〜２２３を用いて、ＲＧＢ信号のうちの一の画像信号をパーソナルコンピュータ側からディスプレイ側に差動不平衡伝送するものである。
すなわち、伝送ライン２２１，２２２に伝送する画像信号としての伝送信号Ｓ１，Ｓ２を、スイッチング素子２０１を切り換えながら電流源２００から交互に即ち位相をずらせながら同方向に送り出す。そして、伝送ライン２２１，２２２を流れた伝送信号Ｓ１，Ｓ２は接地された伝送ライン２２３を介してそれぞれ戻ってくる。したがって、伝送信号Ｓ１が伝送ライン２２１を流れている間は、伝送信号Ｓ２は伝送ライン２２２を流れない。そして、逆の場合も同様である。この結果、システムの動作中は、伝送信号が伝送ライン２２１，２２２の一方にのみ流れることになる。
【００２５】
このようなシステムにこの実施例の伝送線路型コモンモードフィルタ１を用いる場合には、伝送線路型コモンモードフィルタ１を伝送路２２０とパーソナルコンピュータのインターフェース部に挿入する。
具体的には、図４に示す外部電極１０−１，１０−２を伝送ライン２２１とスイッチング素子２０１とに接続すると共に、外部電極１１−１，１１−２を伝送ライン２２２とスイッチング素子２０１とに接続し、外部電極１２−１，１２−２を伝送ライン２２３に接続して、グランド電極３−１，３−２はシステムのベタグランドに接地する。
【００２６】
かかる状態において、ノーマルモード動作時には、伝送信号Ｓ１が電流源２００からスイッチング素子２０１を通じて伝送線路型コモンモードフィルタ１の信号線路４１を通り、液晶ディスプレイ側の集積回路２１０に至る。これと前後して、伝送信号Ｓ２が伝送線路型コモンモードフィルタ１の信号線路４２を通って液晶ディスプレイ側の集積回路２１０に至る。したがって、伝送信号Ｓ１，Ｓ２の一方のみが信号線路４１，４２の一方に流れることとなる。
しかし、この伝送線路型コモンモードフィルタ１は、外部電極１２−１，１２−２を伝送ライン２２３に接続しているので、信号線路４１，４２の一方を流れた伝送信号は、グランド線路４３に必ず戻ってくる。
このため、例えば、伝送信号Ｓ１が伝送線路型コモンモードフィルタ１の信号線路４１に流れている状態では、グランド線路４３にも、逆向きの伝送信号Ｓ１が流れている。
したがって、図５（ａ）に示すように、信号線路４１を通る伝送信号Ｓ１によって生じる磁界Ｈ１の向きと、グランド線路４３を通る伝送信号Ｓ１によって生じる磁界Ｈ１の向きとが逆になる。このため、全ての磁界Ｈ１，Ｈ１が誘電体５を必ず通って、誘電体５内の磁束密度が非常に大きくなり、誘電体５外の磁性体６中の磁束密度は非常に小さくなる。この結果、信号線路４１とグランド線路４３とを通る伝送信号Ｓ１の磁性体６による磁界損失は非常に小さくなり、伝送信号Ｓ１がほとんど減衰することなく、信号線路４１を伝わることとなる。
同様に、伝送信号Ｓ２が信号線路４２に流れている状態においても、グランド線路４３に、逆向きの伝送信号Ｓ２が流れるので、伝送信号Ｓ２がほとんど減衰することなく、信号線路４２を伝わる。
【００２７】
ところで、図３に示すように、外部回路の信号等がケース等を伝って伝送路２２０に侵入した場合は、そのノイズＮは、伝送ライン２２１，２２２，２２３を同方向に流れ、伝送線路型コモンモードフィルタ１の信号線路４１，４２とグランド線路４３とを通る。すなわち、伝送線路型コモンモードフィルタ１の信号伝送状態は、コモンモードになり、線路４１〜４３を通る全てのノイズＮの向きが同じになる。
したがって、図５（ｂ）に示すように、信号線路４１〜４３を通るノイズＮによって生じる磁界Ｈ２の向きは同じになる。このため、信号線路４１〜４３近傍の誘電体５内には、磁界の一部のみが通ることとなり、その磁束密度は小さい。そして、磁界Ｈ２の大部分は誘電体５の外側の磁性体６に存在した状態になる。この結果、信号線路４１〜４３を通るノイズＮは、磁性体６による磁気損失を受け、信号線路４１〜４３を伝わる間に大部分が減衰されることとなる。
【００２８】
このように、この実施例の伝送線路型コモンモードフィルタ１によれば、差動不平衡の伝送方式をとるシステムに適用した場合においても、コモンモード動作時に良好なノイズ抑制特性維持しつつ、しかも、ノーマルモード動作時に伝送特性を向上させるという効果を奏する。
【実施例２】
【００２９】
図６は、この発明の第２実施例に係る伝送線路型コモンモードフィルタの要部である伝送線路の斜視図であり、図７は第２実施例の伝送線路型コモンモードフィルタの伝送線路に生じる磁界の状態を示す断面図である。
この実施例の伝送線路型コモンモードフィルタは、一対の伝送線路７−１，７−２を、同形のミアンダ状コイルにした点が上記第１実施例と異なる。
すなわち、図６に示すように、伝送線路７−１及び伝送線路７−２を、信号線路７１，グランド線路７３ａ及び信号線路７２，グランド線路７３ｂでそれぞれ構成する。そして、信号線路７１，７２を横並びに平行に配し、これら信号線路７１，７２と同配列のグランド線路７３ａ，７３ｂを信号線路７１，７２と対向するように配置した構成としている。具体的には、ミアンダ状コイル７１，７２を横並びに平行に近接配置し、この下方にグランド線路７３ａ，７３ｂを対向配置した。また、グランド線路７３ａ，７３ｂの両端部を連結した。
【００３０】
かかる構成により、ノーマルモード動作時に、例えば、伝送信号Ｓ１が信号線路７１に流れると、逆向きの伝送信号Ｓ１が、グランド線路７３ｂよりもインピーダンスの低いグランド線路７３ａにのみ流れる。
すると、図７に示すように、信号線路７１を通る伝送信号Ｓ１によって生じる磁界Ｈ１の向きと、グランド線路７３ａを通る伝送信号Ｓ１によって生じる磁界Ｈ１の向きとが逆になり、誘電体５内の磁束密度が非常に大きくなる。この結果、伝送信号Ｓ１はほとんど減衰することなく、信号線路７１を伝わることとなる。
同様に、伝送信号Ｓ２が信号線路４２に流れている状態においても、グランド線路７３ｂに、逆向きの伝送信号Ｓ２が流れるので、信号線路７２を流れる伝送信号Ｓ２はほとんど減衰されない。
その他の構成，作用及び効果は上記第１実施例と同様であるので、その記載は省略する。
【実施例３】
【００３１】
図８は、この発明の第３実施例に係る伝送線路型コモンモードフィルタの要部である伝送線路の斜視図である。
この実施例の伝送線路型コモンモードフィルタは、信号線路である一対のミアンダ状コイル７１，７２を平行に上下に配し、これらのミアンダ状コイル７１，７２の間に、一のグランド線路である同形のミアンダ状コイル７３を配置して、共用する構成とした。
かかる構成により、ストレートな信号線路４１，４２及びグランド線路４３を有した上記第１実施例の伝送線路型コモンモードフィルタ１よりも、より高い伝送特性とノイズ抑制特性を得ることができる。さらに、グランド線路の数が第２実施例の伝送線路型コモンモードフィルタのグランド線路数よりも少ないので、その分構造の簡素化と製品の小型化とを図ることができる。
その他の構成，作用及び効果は上記第１及び第２実施例と同様であるので、その記載は省略する。
【実施例４】
【００３２】
図９は、この発明の第４実施例に係る伝送線路型コモンモードフィルタの要部である伝送線路の斜視図である。
この実施例の伝送線路型コモンモードフィルタは、信号線路である一対のスパイラル状コイル８−１，８−２を平行に上下に配し、これらスパイラル状コイル８−１，８−２の間に、一のグランド線路であるスパイラル状コイル８−３を配置して、共用する構成となっている。
具体的には、スパイラル状コイル８−１，８−２，８−３の端子部８１，８２，８３を、ビアホール８１ａ，８２ａ，８３ａを用いてスパイラル状コイル８−１，８−２，８−３の本体の下側に位置させる。そして、スパイラル状コイル８−１，８−２を平行に上下に配し、これらスパイラル状コイル８−１，８−２の間にスパイラル状コイル８−３を配置する。
かかる構成により、ミアンダ状コイル７１，７２，７３を有した上記第３実施例の伝送線路型コモンモードフィルタよりも、より高い伝送特性とノイズ抑制特性を実現することができる。
その他の構成，作用及び効果は上記第１及び第３実施例と同様であるので、その記載は省略する。
【００３３】
なお、この発明は、上記実施例に限定されるものではなく、発明の要旨の範囲内において種々の変形や変更が可能である。
例えば、上記実施例では、この発明の伝送線路型コモンモードフィルタを差動不平衡伝送システムに適用した例を示したが、差動平衡伝送システムに適用した場合においても、良好な伝送特性とノイズ抑制特性を得ることができることは勿論である。
また、上記第３実施例では、ミアンダ状コイル７１，７２を平行に上下に配し、これらのミアンダ状コイル７１，７２の間に、同形のミアンダ状コイル７３を配置した例を示したが、図１０に示すように、一対の信号線路７１，７２を横並びに平行に配し、一のグランド線路であるミアンダ状コイル７３を横並びのミアンダ状コイル７１，７２の間に配置して、共用する構成とすることもできる。
【図面の簡単な説明】
【００３４】
【図１】この発明の第１実施例に係る伝送線路型コモンモードフィルタの分解斜視図である。
【図２】図１の矢視Ａ−Ａ断面図である。
【図３】伝送線路型コモンモードフィルタの使用例を示す概略図である。
【図４】伝送線路型コモンモードフィルタの等価回路図である。
【図５】伝送線路に生じる磁界の状態を示す断面図である。図５（ａ）は、ノーマルモード動作時の磁界状態を示し、図５（ｂ）とコモンモード動作時の磁界状態を示す。
【図６】この発明の第２実施例に係る伝送線路型コモンモードフィルタの要部である伝送線路の斜視図である。
【図７】第２実施例の伝送線路型コモンモードフィルタの伝送線路に生じる磁界の状態を示す断面図である。
【図８】この発明の第３実施例に係る伝送線路型コモンモードフィルタの要部である伝送線路の斜視図である。
【図９】この発明の第４実施例に係る伝送線路型コモンモードフィルタの要部である伝送線路の斜視図である。
【図１０】一対の信号線路とグランド線路の変形例を示す斜視図である。
【図１１】従来のコモンモードフィルタの断面図である。
【図１２】従来例のコモンモード動作時における磁界状態を示す断面図である。
【図１３】従来例を差動不平衡の伝送方式をとるシステムに適用した場合に生じるノーマルモード動作時の磁界状態を示す断面図である。
【符号の説明】
【００３５】
１…伝送線路型コモンモードフィルタ、  ２…チップ、  ３−１，３−２…グランド電極、  ４−１，４−２，７−１，７−２…伝送線路、  ４１，４２，７１，７２，８−１，８−２…信号線路、  ４３，７３，８−３…グランド線路、  ５…誘電体、  ６…磁性体、  １０−１，１０−２，１１−１，１１−２，１２−１，１２−２…外部電極、  Ｈ１，Ｈ２…磁界、  Ｎ…ノイズ、Ｓ１，Ｓ２…伝送信号。
【図１】
2005218031.tif 000003
【図２】
2005218031.tif 000004
【図３】
2005218031.tif 000005
【図４】
2005218031.tif 000006
【図５】
2005218031.tif 000007
【図６】
2005218031.tif 000008
【図７】
2005218031.tif 000009
【図８】
2005218031.tif 000010
【図９】
2005218031.tif 000011
【図１０】
2005218031.tif 000012
【図１１】
2005218031.tif 000013
【図１２】
2005218031.tif 000014
【図１３】
2005218031.tif 000015